(57)【要約】      （修正有）【課題】情報記録媒体を細断した際の細断チップの飛散を効果的に防止することができるシュレッダーの投入口機構及びそれを有するシュレッダーを提供する。【解決手段】シュレッダーの情報記録媒体用投入口機構１０であって、上方に開口された投入口１４を有する上蓋部材１６と、上蓋部材の下方に設けられ、投入口を塞ぐように回動自在に設けられた投入口カバー部材１８と、投入口カバー部材を投入口を塞ぐように上方に付勢する付勢手段２０と、を含み、細断物２６によって投入口カバー部材が押圧されると下方に回動し、押圧が解除されると上方に回動復帰して上蓋部材の閉鎖位置に移動するようにした。【選択図】図１
0003139959.tif 000002
【実用新案登録請求の範囲】
【請求項１】
シュレッダーの情報記録媒体用投入口機構であって、
上方に開口された投入口を有する上蓋部材と、
該上蓋部材の下方に設けられ、該投入口を塞ぐように回動自在に設けられた投入口カバー部材と、
該投入口カバー部材を該投入口を塞ぐように上方に付勢する付勢手段と、
を含み、
細断物によって該投入口カバー部材が押圧されると下方に回動し、
押圧が解除されると上方に回動復帰して上蓋部材の閉鎖位置に移動することを特徴とするシュレッダーの投入口機構。
【請求項２】
前記付勢手段がねじりコイルばねであることを特徴とする請求項１記載のシュレッダーの投入口機構。
【請求項３】
請求項１又は２記載のシュレッダーの投入口機構を有することを特徴とするシュレッダー。
【考案の詳細な説明】
【技術分野】
【０００１】
本考案は、シュレッダーの投入口機構に関し、特にシュレッダーの情報記録媒体用投入口機構及びそれを有するシュレッダーに関する。
【背景技術】
【０００２】
従来、シュレッダーとしては、廃棄用紙などの紙を細断するシュレッダーが広く知られているが、最近では、機密性確保のためにＣＤ（コンパクトディスク）、ＦＤ（フレキシブルディスク）、ＭＯ（Magneto Optical Disc、光磁気ディスク）、ＤＶＤなどの情報記録媒体をシュレッダーで細断することも多くなってきている。
【０００３】
このような情報記録媒体用の投入口としては、紙を細断するための紙投入口と兼用のものや、紙投入口とは別にＣＤなどの情報記録媒体用投入口を設けたシュレッダーなどがある（例えば、特許文献１及び特許文献２）。
【０００４】
しかしながら、従来のシュレッダーの情報記録媒体用の投入口機構では、投入口が上方に開口したままであるため、情報記録媒体を細断した際の細断チップ（細断屑）が飛び跳ねたり飛散したりして、場合によっては、使用者の顔面などに細断チップ（細断屑）が当たるおそれがあった。
【特許文献１】特開２００６−１６７５６３
【特許文献２】特開２００７−０９８１９０
【考案の開示】
【考案が解決しようとする課題】
【０００５】
本考案は、上記した従来技術の問題点に鑑みなされたもので、情報記録媒体を細断した際の細断チップの飛散を効果的に防止することができるシュレッダーの投入口機構及びそれを有するシュレッダーを提供することを目的とする。
【課題を解決するための手段】
【０００６】
上記課題を解決するために、本考案に係るシュレッダーの投入口機構は、シュレッダーの情報記録媒体用投入口機構であって、
上方に開口された投入口を有する上蓋部材と、
該上蓋部材の下方に設けられ、該投入口を塞ぐように回動自在に設けられた投入口カバー部材と、
該投入口カバー部材を該投入口を塞ぐように上方に付勢する付勢手段と、
を含み、
細断物によって該投入口カバー部材が押圧されると下方に回動し、
押圧が解除されると上方に回動復帰して上蓋部材の閉鎖位置に移動することを特徴とする。
【０００７】
このように構成すれば、細断物を細断していないときは、投入口カバー部材は付勢手段によって投入口を塞ぐように上方に付勢されているので、該投入口に異物が侵入するのを防ぐことができる。
【０００８】
一方、細断物の細断時には、投入口に入れられた情報記録媒体の細断物によって押圧された投入口カバー部材が下方に回動し、該細断物が細断刃によって細断される。このとき、投入口カバー部材は付勢手段によって元の位置に弾性復帰するように付勢されているので、細断物の細断チップの飛散は該投入口カバー部材によって効果的に防止されることとなる。
【０００９】
前記情報記録媒体としては、ＣＤ（コンパクトディスク）、ＦＤ（フレキシブルディスク）、ＭＯ（光磁気ディスク）、ＤＶＤ又は各種メモリーカードなどの情報記録媒体が挙げられる。
【００１０】
前記付勢手段としては、ねじりコイルばねであるのが好ましい。ねじりコイルばねを使用すると付勢手段を簡単な機構で構成することができるので耐久性の点からも好ましい。
【００１１】
また、本考案に係るシュレッダーは、前記したシュレッダーの投入口機構を有することを特徴とする。
【００１２】
前記シュレッダーに設ける前記情報記録媒体用投入口機構は、紙用投入口とは別に情報記録媒体用の投入口を独立してシュレッダーに設ける構成が好ましい。
【考案の効果】
【００１３】
本考案に係るシュレッダーの投入口機構によれば、情報記録媒体を細断した際の細断チップの飛散を効果的に防止することができるという著大な効果を有する。
【００１４】
また、投入口カバー部材が投入口を完全にふさぐ為、安全性が向上するという効果もある。
【００１５】
さらに、投入口カバー部材により、情報記録媒体の細断時の音が低減し、騒音の低減が行えるという効果がある。
【００１６】
さらにまた、細断物がカバーを通過すると同時に、投入口カバー部材が投入口を自動的に閉塞する為、投入口の開閉動作を自動で行うことができる効果があり、カバー部材を閉めわすれたままの細断がなくなるという利点もある。
【００１７】
その上、投入口カバー部材によりホコリ等が細断機構部内（細断刃等）に入り込みにくくなるという効果も有する。
【考案を実施するための最良の形態】
【００１８】
以下に本考案の一つの実施の形態を実施例に基づき添付図面を参照して説明する。
【００１９】
図１は本考案のシュレッダーの投入口機構の一つの実施の形態を有するシュレッダーを示す側面断面要部概略図、図２は図１の要部拡大図、図３はシュレッダーの投入口機構の一つの実施の形態を有するシュレッダーを示す平面概略図である。
【００２０】
図１〜図３において、符号１０は本考案のシュレッダーの情報記録媒体用投入口機構を示す。シュレッダーの情報記録媒体用投入口機構１０は、シュレッダー１２に設けられた情報記録媒体用投入口機構であって、上方に開口された投入口１４を有する上蓋部材１６と、該上蓋部材１６の下方に設けられ、該投入口１４を塞ぐように回動自在に設けられた投入口カバー部材１８と、該投入口カバー部材１８を該投入口１４を塞ぐように上方に付勢する付勢手段２０と、を含む。図示例では、付勢手段２０として、ねじりコイルばね２２ａ，２２ｂを用いた。なお、付勢手段２０としては、ねじりコイルばねが好適に用いられるが、投入口カバー部材１８を付勢するための手段であればよく、板ばねや弾性ゴムなどの付勢手段を用いてもよい。
【００２１】
図１において、符号２４ａ，２４ｂは細断刃を示し、符号２８は細断物２６をガイドするためのガイド部を示す。符号３０はシュレッダーの筐体を示す。符号３２は細断機構部である。細断物２６は、情報記録媒体（図示例ではＣＤ）である。
【００２２】
細断物２６（情報記録媒体）によって該投入口カバー部材１８が押圧されると該投入口カバー部材１８が下方に回動して回動位置Ｂに移動し、該投入口カバー部材１８の押圧が解除されると該投入口カバー部材１８が上方に回動復帰して上蓋部材の閉鎖位置Ａに移動する。
【００２３】
このようにして構成されたシュレッダーの情報記録媒体用投入口機構並びにそれを有するシュレッダーによれば、投入口カバー部材１８が付勢されているので、情報記録媒体を細断した際の細断チップの飛散を効果的に防止することができる。
【００２４】
また、投入口カバー部材１８が投入口１４を完全にふさぐ為、安全性が向上するという効果もある。
【００２５】
さらに、投入口カバー部材１８により、情報記録媒体の細断時の音が低減し、騒音の低減が行えるという効果がある。
【００２６】
さらにまた、細断物がカバーを通過すると同時に、投入口カバー部材が投入口を自動的に閉塞する為、投入口の開閉動作を自動で行うことができる効果があり、カバー部材を閉めわすれたままの細断がなくなるという利点もある。
【００２７】
その上、投入口カバー部材１８によりホコリ等が細断刃２４ａ，２４ｂ等を有する細断機構部３２内に入り込みにくくなるという効果も有する。
【図面の簡単な説明】
【００２８】
【図１】本考案のシュレッダーの投入口機構の一つの実施の形態を有するシュレッダーを示す側面断面要部概略図である。
【図２】図１の要部拡大図である。
【図３】シュレッダーの投入口機構の一つの実施の形態を有するシュレッダーを示す平面概略図である。
【符号の説明】
【００２９】
１０：シュレッダーの情報記録媒体用投入口機構、１２：シュレッダー、１４：投入口、１６：上蓋部材、１８：投入口カバー部材、２０：付勢手段、２２ａ，２２ｂ：ねじりコイルばね、２４ａ，２４ｂ：細断刃、２６：細断物、２８：ガイド部、３０：シュレッダーの筐体、３２：細断機構部、Ａ：閉鎖位置、Ｂ：回動位置。
【図１】
0003139959.tif 000003
【図２】
0003139959.tif 000004
【図３】
0003139959.tif 000005